(57)【要約】【課題】            気泡と共に収集室内に上昇した浮遊・溶解物が天井に落下した後、当該収容室内に効率的に収集し得るような気泡式浮遊・溶解物除去装置の構成を提供すること。【解決手段】        気泡６と共に浮上した浮遊・溶解物を容器１の底部１３に落下させる浮遊・溶解物除去装置において、前記天井１１に対し上側を向いた突設枠によって構成されている前記入口１２の真上に位置している部位の周囲に複数個の板状の落下枠１４を略放射状に下方に向けて突設し、かつ当該落下枠１４の下端につき、前記部位の位置から離れるに従って下降するような状態とするか、又は前記天井面につき、上側を向いた突設枠によって構成されている前記入口の真上に位置している部位を順次周囲方向に離れるにしたがって下降するような状態とすることに基づき前記課題を達成することができる気泡６式浮遊・溶解物除去装置。【選択図】          図３
2008136946.tif 000002
【特許請求の範囲】
【請求項１】
所定の領域に収容された水中に溶存している浮遊・溶解物に対し、前記水と共に循環装置内を循環させ、かつ当該循環装置内に注入した気泡と一体化したうえで、前記循環途上において収集容器内に下方の入口から浮上させ、かつ浮上した気泡が当該容器の天井に気泡とともに衝突する段階、又は当該衝突より前の段階にて破裂することに伴って気泡と共に浮上した浮遊・溶解物を当該容器の底部に落下させる浮遊・溶解物除去装置において、前記天井に対し上側を向いた突設枠によって構成されている前記入口の真上に位置している部位の周囲に複数個の板状の落下枠を略放射状に下方に向けて突設し、かつ当該落下枠の下端につき、前記部位の位置から離れるに従って全体として下降するような状態とすることに基づく気泡式浮遊・溶解物除去装置。
【請求項２】
所定の領域に収容された水中に溶存している浮遊・溶解物に対し、前記水と共に循環装置内を循環させ、かつ当該循環装置内に注入した気泡と一体化したうえで、前記循環途上において収集容器内に下方の入口から浮上させ、かつ浮上した気泡が当該容器の天井に気泡とともに衝突する段階、又は当該衝突より前の段階にて破裂することに伴って気泡と共に浮上した浮遊・溶解物を当該容器の底部に落下させる浮遊・溶解物除去装置において、前記天井面につき、上側を向いた突設枠によって構成されている前記入口の真上に位置している部位を順次周囲方向に離れるにしたがって全体として下降するような状態とすることに基づく気泡式浮遊・溶解物除去装置。
【請求項３】
収集容器の下方に位置している循環装置内において、気泡が注入された水が移行するパイプを設け、かつ当該パイプは、上下方向又は水平方向に蛇行状態を形成しており、当該蛇行状態の中途部位又は終端部位において浮上・溶解物と一体となっている気泡を放出することを特徴とする請求項１，２記載の気泡式浮遊・溶解物除去装置。
【請求項４】
収集容器の下方に位置している循環装置内において、気泡が注入された水が移行するパイプを設け、かつ当該パイプは、上下方向又は水平方向に螺旋状態を形成しており、当該蛇行状態の中途部位又は終端部位において浮上・溶解物と一体となっている気泡を放出することを特徴とする請求項１，２記載の気泡式浮遊・溶解物除去装置。
【請求項５】
循環容器の出口又はその近傍にフィルターを設けたことを特徴とする請求項１，２，３，４記載の気泡式浮遊・溶解物除去装置。
【発明の詳細な説明】
【技術分野】
【０００１】
本発明は、水槽等及び池等の水を貯溜した領域における浮遊・溶解物を気泡を介して除去する装置に関するものである。
【背景技術】
【０００２】
水槽又は池等に魚を飼育する場合、排泄物又は体液等が排出され、水中に浮遊・溶解しているが、これらの浮遊・溶解物は基本的に有機物を主成分としており、水槽内のフィルターによってろ過したとしても、当該フィルターに付着し、結局有機物の腐敗等によって魚が生息している水の領域を汚濁するという悪影響を免れることができない。
【０００３】
このような状況に鑑み、水中の浮遊・溶解物を速やかに除去するために、気泡を用いる方式が提唱されている（尚、前記方式は「プロテインスキミング」（蛋白質すくいあげ）と言う通称名が使用されている）。
【０００４】
前記方式に関する従来技術として、所定の領域に収容された水中に溶存している浮遊・溶解物に対し、前記水と共に循環装置内を循環させ、かつ当該循環装置内に注入した気泡と一体化したうえで、前記循環途上において収集容器内に下方の入口から浮上させ、かつ浮上した気泡が当該容器の天井に気泡とともに衝突する段階、又は当該衝突より前の段階にて破裂することに伴って気泡と共に浮上した浮遊・溶解物を当該容器の底部に落下させるという構成が採用されている。
【０００５】
しかしながら、前記の従来技術においては、気泡が浮遊・溶解物と共に天井面に衝突する段階又はその前段階において破裂し、残存した浮遊・溶解物が前記破裂に伴って生ずる水滴と共に落下する場合には、図６に示すように浮遊・溶解物が下側の入口１２側に落下し、ひいては循環装置２内を再び循環するという所謂“悪循環”を免れることができない。
【０００６】
然るに、これまで気泡式浮遊・溶解物除去装置において前記の欠点を克服するような構成はこれまで提唱されている訳ではない。
【０００７】
因みに下記の特許文献１及び同２は、前記気泡式浮遊・溶解物除去装置に関連する技術を開示しているが、気泡と共に浮遊・溶解物が上昇した後、気泡が破裂・落下する浮遊・溶解物を効率的に収集する構成を特に開示又は示唆している訳ではない。
【０００８】
【特許文献１】特開平０２−９９２６３号公報
【特許文献２】特開２００２−１７７９９０号公報
【発明の開示】
【発明が解決しようとする課題】
【０００９】
本発明は、気泡と共に収集容器内に上昇した浮遊・溶解物を当該気泡が破裂した後、前記収集容器内において効率的に収集し得るような気泡式浮遊・溶解物除去装置の構成を提供することを課題としている。
【課題を解決するための手段】
【００１０】
前記課題を解決するため、本発明の基本構成は
（１）．図３（ａ）に示すように、所定の領域に収容された水中に溶存している浮遊・溶解物に対し、前記水と共に循環装置２内を循環させ、かつ当該循環装置２内に注入した気泡６と一体化したうえで、前記循環途上において収集容器１内に下方の入口１２から浮上させ、かつ浮上した気泡６が当該容器１の天井１１に気泡６とともに衝突する段階、又は当該衝突より前の段階にて破裂することに伴って気泡６と共に浮上した浮遊・溶解物を当該容器１の底部１３に落下させる浮遊・溶解物除去装置において、前記天井１１に対し上側を向いた突設枠によって構成されている前記入口１２の真上に位置している部位の周囲に複数個の板状の落下枠１４を略放射状に下方に向けて突設し、かつ当該落下枠１４の下端につき、前記部位の位置から離れるに従って全体として下降するような状態とすることに基づく気泡６式浮遊・溶解物除去装置、
（２）．図３（ｂ）に示すように、所定の領域に収容された水中に溶存している浮遊・溶解物に対し、前記水と共に循環装置２内を循環させ、かつ当該循環装置２内に注入した気泡６と一体化したうえで、前記循環途上において収集容器１内に下方の入口から浮上させ、かつ浮上した気泡６が当該容器１の天井１１に気泡６とともに衝突する段階、又は当該衝突より前の段階にて破裂することに伴って気泡６と共に浮上した浮遊・溶解物を当該容器１の底部１３に落下させる浮遊・溶解物除去装置において、前記天井１１面につき、上側を向いた突設枠によって構成されている前記入口の真上に位置している部位を順次周囲方向に離れるにしたがって全体として下降するような状態とすることに基づく気泡６式浮遊・溶解物除去装置、
からなる。
【発明の効果】
【００１１】
前記基本構成（１）による本発明の場合には、天井に衝突する前段階に、気泡と共に上昇した浮遊・溶解物は落下枠に衝突し、しかも当該落下枠の下端部に沿って周囲に分散して、下側の入口の周囲底部に収集されることになり、
前記基本構成（２）による本発明の場合には、気泡と共に天井に衝突した浮遊・溶解物は天井面に沿って順次周囲方向に移行し、下方の入口周囲の底部に収集されることが可能となり、何れの場合においても収集室内に浮遊した気泡が天井と衝突する段階又はその前段階において破裂し、かつ当該収集室の入口側に落下することを減少させ、ひいては浮遊・溶解物を効率的に除去・分離することができる。
【発明を実施するための最良の形態】
【００１２】
基本構成（１）は、図３（ａ）に示すように、天井１１面のうちの下側の入口の真上に位置している部位の周囲に複数個の落下枠１４を略放射状に設け、しかも当該落下枠１４の下端は中心部位から離れるにしたがって、全体として下降するような状態となるように設けられている。
このような基本構成（１）においては、収集容器１内に浮遊・溶解物と共に上昇した気泡６は落下枠１４に衝突することによって破裂し、図４（ａ）に示すように、浮遊・溶解物が前記破裂に伴って生じた水滴と共に落下枠１４の下端に到達するが（点線５参照）、下端が順次周囲側に下降する傾向にあるので、当該下端の部位に沿って移行し、周囲側に至る中途部位又は末端において下側の入口の周囲に位置している底部に落下することになる（尚、図３（ａ）のＡ−Ａ断面図、即ち落下枠１４の水平方向断面図は、入口１２の真上の位置を中心として落下枠１４を略放射状に設けた状態を示している。）。
【００１３】
前記（２）の基本構成は、図３（ｂ）に示すように、天井１１面は下側の入口１２の真上を中心として順次周囲となるにしたがって全体として下降するような状態となるように設定している。
このような基本構成（２）においては、気泡６が天井１１において衝突した場合には、図４（ｂ）に示すように、天井１１において気泡６と共に衝突した浮遊・溶解物は、破裂に伴って生じた水滴と共に、天井１１面に沿って順次周囲側に下降しながら移行し、結局下降の途中において落下するか、又は天井１１と接続している周囲の壁部に移行し、収集容器１の壁部を伝達して、下側の入口１２周囲の底部に落下することになる（点線５参照）。
【００１４】
尚、前記（１）、（２）の構成において、入口１２の真上に位置している部位の周囲から離れるに従って全体として下降する状態にあることは、局所的に上昇する部位があるとしても、全体として下降していればよいという趣旨である。
【００１５】
前記（１）、（２）の基本構成の何れにおいても入口１２が上側を向いた突設枠によって構成されているので、一旦入口１２の周囲に収容された浮遊・溶解物が入口１２から下側に落下することを極力防止することができる。
このように、本願発明は収集容器１の天井１１面から突設した落下枠１４の構成又は天井１１面の構成を工夫することによって、気泡６と共に収集容器１に上昇した浮遊・溶解物は、入口１２側への落下を少なくし、効率的に周囲側に収集されている。
【００１６】
前記（１）の構成において落下枠１４については、図５に示すように、天井１１との界面を順次なだらかに下降するように構成した場合には、気泡６の破裂後に残留した水と共に天井１１に付着した浮遊・溶解物は、天井１１から順次落下枠１４側に移行することが可能となり、更に効率的な浮遊・溶解物の除去を実現することができる。
【００１７】
前記（１）の落下枠１４を設ける構成と、前記（２）の天井１１面を順次下降するような傾向となるような構成との双方を結合した実施形態も当然実現可能である。
【００１８】
以下実施例に従って説明する。
【実施例１】
【００１９】
実施例１においては、図１に示すように、収集容器１の下方に位置している循環装置２内において、気泡６が注入された水が移行するパイプ２１を設け、かつ当該パイプ２１は、上下方向又は水平方向に蛇行状態を形成しており、当該蛇行状態の中途部位又は終端部位において浮遊・溶解物と一体となっている気泡６を放出することを特徴としている（尚、図１は上下方向に蛇行した場合を示している。）。
【００２０】
即ち、実施例１においては、循環装置２内において気泡６と水とが蛇行するパイプ２１内を順次移行することによって、気泡６が水中の浮遊・溶解物と接触する機会を多くし、ひいては各気泡６と浮遊・溶解物とが一体となる確率を増加することができ、効率的な浮遊・溶解物の除去に資することができる。
【実施例２】
【００２１】
実施例は、図２に示すように、収集容器１の下方に位置している循環装置２内において、気泡６が注入された水が移行するパイプ２１を設け、かつ当該パイプ２１は、上下方向又は水平方向に螺旋状態を形成しており、当該蛇行状態の中途部位又は終端部位において浮遊・溶解物と一体となっている気泡６を放出することを特徴としている（尚、図２は略水平方向に螺旋形状となっている状態を示している。）。
【００２２】
即ち、実施例２においては、循環装置２内において気泡６と水とが螺旋状のパイプ２１内を順次移行することによって、気泡６が水中の浮遊・溶解物と接触する機会を多くし、ひいては各気泡６と浮遊・溶解物とが一体となる確率を増加することができ、効率的な浮遊・溶解物の除去に資することができる。
【実施例３】
【００２３】
図３（ａ）、（ｂ）に示すように、循環装置２の出口（図３（ａ）の場合）又はその近傍（図３（ｂ）の場合）にフィルター９を設けたことを特徴としている。
【００２４】
即ち実施例３においては、気泡６と一体化しないような水中の不純物をフィルター９によって捕獲し、魚による排泄物又は体液等の排出物以外の浮遊・溶解物以外を除去することが可能となり、魚が生息している水の浄化に資することが可能となる。
【産業上の利用可能性】
【００２５】
本発明は観賞魚又は養殖業等の育成に関する広範な分野において利用することが可能である。
【図面の簡単な説明】
【００２６】
【図１】実施例１の構成を示す側面図である（白線の矢印は気泡が上昇する状態を示している。）。
【図２】実施例２の構成を示す側面図である（白線の矢印は気泡が上昇する状態を示している。）。
【図３】本発明の基本構成を示しており、（ａ）は前記（１）の基本構成を示し、（ｂ）は前記（２）の基本構成を示す（白線の矢印は気泡が上昇する状態を示している。）。
【図４】気泡が破裂した後、浮遊・溶解物が水滴と共に順次下方に移行する状態を示しており、（ａ）は基本構成（１）の場合を示しており、（ｂ）は基本構成（２）の場合を示している（白線の矢印は気泡が上昇する状態を示している。）。（尚、点線は浮遊・溶解物が水滴と一体を為して順次下方に移行する状態を示す。）。
【図５】前記（１）の基本構成において特に落下枠が天井と順次なだらかに接続された状態の構成の断面図を示している。
【図６】従来技術による浮遊・溶解物除去装置における収集容器の構成を示す（白線の矢印は気泡が上昇している状態を示しており、点線の矢印は気泡が破裂した後、浮遊・溶解物が入口側に落下する状態を示す）。
【符号の説明】
【００２７】
１  収集容器
１１  天井
１２  入口
１３  底部
１４  落下枠
２  循環装置
２１  パイプ
２３  循環ポンプ
２４  気泡注入装置
３  魚生息領域
４  フィルター
５  水滴と一体となっている浮遊・溶解物
６  気泡
【図１】
2008136946.tif 000003
【図２】
2008136946.tif 000004
【図３】
2008136946.tif 000005
【図４】
2008136946.tif 000006
【図５】
2008136946.tif 000007
【図６】
2008136946.tif 000008